【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
それぞれにセキュリティレベルが異なる複数の機器グループによって構成され、該機器グループ内の機器群に細分化されたデータが格納される分散処理システムであって、
第１の機器グループ内の第１の機器が、第２の機器グループ内の少なくとも２台の第２の機器に対してデータの復元を指示し、
前記第２の機器が、前記第１の機器からのデータの復元指示を受けて、前記第２の機器グループよりも低いセキュリティレベルである第３の機器グループに属する機器群から細分化されて格納されているデータの一部を収集して復元し、
前記第１の機器が、前記第２の機器で復元されたデータを収集して復元する
ことを特徴とする分散処理システム。
【請求項２】
それぞれにセキュリティレベルが異なる複数の機器グループによって構成される分散処理システムであって、
第１の機器グループ内の第１の機器が、第２の機器グループ内の少なくとも２台の第２の機器に対してデータ処理を指示し、
前記第２の機器が、前記指示を受けて前記データ処理の内容を細分化し、
前記第２の機器が、前記細分化したデータ処理を、前記第２の機器グループよりも低いセキュリティレベルである第３の機器グループに属する機器群に指示し、
前記細分化したデータ処理が指示された機器群において該データ処理を行い、
前記第２の機器が、前記機器群から前記データ処理結果を収集し、
前記第１の機器が、前記第２の機器で収集されたデータ処理結果を収集する
ことを特徴とする分散処理システム。
【請求項３】
前記データ処理は、画像処理であることを特徴とする請求項２に記載の分散処理システム。
【請求項４】
前記データ処理は、大規模計算処理であることを特徴とする請求項２に記載の分散処理システム。
【請求項５】
それぞれにセキュリティレベルが異なる複数の機器グループによって構成される分散処理システムであって、
第１の機器グループ内の第１の機器が、第２の機器グループ内の少なくとも２台の第２の機器に対してデータの格納を指示し、
前記第２の機器が、前記データ格納の指示を受けて該データを細分化し、
前記第２の機器が、細分化したデータの格納を、前記第２の機器グループよりも低いセキュリティレベルである第３の機器グループに属する機器群に指示し、
前記第２の機器によって細分化したデータの格納が指示された機器群において、該データの格納を行う
ことを特徴とする分散処理システム。
【請求項６】
前記第１の機器グループと前記第２の機器グループは、同じセキュリティレベルであることを特徴とする請求項１乃至５のいずれか一項に記載の分散処理システム。
【請求項７】
前記第１の機器は１台であることを特徴とする請求項１乃至６のいずれか一項に記載の分散処理システム。
【請求項８】
前記第１の機器グループはイントラネット内に存在する機器群がカテゴライズされるグループであり、
前記第２の機器グループはインターネット網に存在する機器群がカテゴライズされるグループである
ことを特徴とする請求項１乃至７のいずれか一項に記載の分散処理システム。
【請求項９】
前記第１および第２の機器グループとしては、予めグリッドコンピューティング網に登録された機器群が設定されることを特徴とする請求項１乃至８のいずれか一項に記載の分散処理システム。
【請求項１０】
それぞれにセキュリティレベルが異なる複数の機器グループによって構成され、該機器グループ内の機器群に細分化されたデータが格納されたシステムにおける分散処理方法であって、
第１の機器グループ内の第１の機器が、第２の機器グループ内の少なくとも２台の第２の機器に対してデータの復元を指示するデータ復元指示ステップと、
前記第２の機器が、前記データ復元指示ステップによる指示を受けて、前記第２の機器グループよりも低いセキュリティレベルである第３の機器グループに属する機器群から細分化されて格納されているデータの一部を収集して復元する中間復元ステップと、
前記第１の機器が、前記中間復元ステップにおいて前記第２の機器で復元されたデータを収集して復元する完全復元ステップと、
を有することを特徴とする分散処理方法。
【請求項１１】
それぞれにセキュリティレベルが異なる複数の機器グループによって構成されるシステムにおける分散処理方法であって、
第１の機器グループ内の第１の機器が、第２の機器グループ内の少なくとも２台の第２の機器に対してデータ処理を指示するデータ処理指示ステップと、
前記第２の機器が、前記データ処理指示ステップによる指示を受けて、該データ処理の内容を細分化するデータ細分化ステップと、
前記第２の機器が、前記データ細分化ステップにおいて細分化したデータ処理を、前記第２の機器グループよりも低いセキュリティレベルである第３の機器グループに属する機器群に指示する部分処理指示ステップと、
前記部分処理指示ステップにおいて細分化したデータ処理が指示された機器群において、該データ処理を行う部分処理ステップと、
前記第２の機器が、前記部分処理ステップにおけるデータ処理結果を収集する中間収集ステップと、
前記第１の機器が、前記中間収集ステップにおいて前記第２の機器で収集されたデータ処理結果を収集する完全収集ステップと、
を有することを特徴とする分散処理方法。
【請求項１２】
前記データ処理は、画像処理であることを特徴とする請求項１１に記載の分散処理方法。
【請求項１３】
前記データ処理は、大規模計算処理であることを特徴とする請求項１１に記載の分散処理方法。
【請求項１４】
それぞれにセキュリティレベルが異なる複数の機器グループによって構成されるシステムにおける分散処理方法であって、
第１の機器グループ内の第１の機器が、第２の機器グループ内の少なくとも２台の第２の機器に対してデータの格納を指示するデータ格納指示ステップと、
前記第２の機器が、前記データ格納指示ステップによる指示を受けて、該データを細分化するデータ細分化ステップと、
前記第２の機器が、前記データ細分化ステップにおいて細分化したデータの格納を、前記第２の機器グループよりも低いセキュリティレベルである第３の機器グループに属する機器群に指示する部分格納指示ステップと、
前記部分格納指示ステップにおいて細分化したデータの格納が指示された機器群において、該データの格納を行う部分格納ステップと、
を有することを特徴とする分散処理方法。
【請求項１５】
前記第１の機器グループと前記第２の機器グループは、同じセキュリティレベルであることを特徴とする請求項１０乃至１４のいずれか一項に記載の分散処理方法。
【請求項１６】
前記第１の機器は１台であることを特徴とする請求項１０乃至１５のいずれか一項に記載の分散処理方法。
【請求項１７】
前記第１の機器グループはイントラネット内に存在する機器群がカテゴライズされるグループであり、
前記第２の機器グループはインターネット網に存在する機器群がカテゴライズされるグループである
ことを特徴とする請求項１０乃至１６のいずれか一項に記載の分散処理方法。
【請求項１８】
前記第１および第２の機器グループとしては、予めグリッドコンピューティング網に登録された機器群が設定されることを特徴とする請求項１０乃至１７のいずれか一項に記載の分散処理方法。
【手続補正２】
【補正対象書類名】明細書
【補正対象項目名】０００６
【補正方法】変更
【補正の内容】
【０００６】
上記目的を達成するための一手段として、本発明の分散処理システムは以下の構成を備える。
【手続補正３】
【補正対象書類名】明細書
【補正対象項目名】０００７
【補正方法】変更
【補正の内容】
【０００７】
すなわち、それぞれにセキュリティレベルが異なる複数の機器グループによって構成され、該機器グループ内の機器群に細分化されたデータが格納される分散処理システムにおいて、第１の機器グループ内の第１の機器が、第２の機器グループ内の少なくとも２台の第２の機器に対してデータの復元を指示し、前記第２の機器が、前記第１の機器からのデータの復元指示を受けて、前記第２の機器グループよりも低いセキュリティレベルである第３の機器グループに属する機器群から細分化されて格納されているデータの一部を収集して復元し、前記第１の機器が、前記第２の機器で復元されたデータを収集して復元する。
または、それぞれにセキュリティレベルが異なる複数の機器グループによって構成される分散処理システムにおいて、第１の機器グループ内の第１の機器が、第２の機器グループ内の少なくとも２台の第２の機器に対してデータ処理を指示し、前記第２の機器が、前記指示を受けて前記データ処理の内容を細分化し、前記第２の機器が、前記細分化したデータ処理を、前記第２の機器グループよりも低いセキュリティレベルである第３の機器グループに属する機器群に指示し、前記細分化したデータ処理が指示された機器群において該データ処理を行い、前記第２の機器が、前記機器群から前記データ処理結果を収集し、前記第１の機器が、前記第２の機器で収集されたデータ処理結果を収集する。
さらに、それぞれにセキュリティレベルが異なる複数の機器グループによって構成される分散処理システムにおいて、第１の機器グループ内の第１の機器が、第２の機器グループ内の少なくとも２台の第２の機器に対してデータの格納を指示し、前記第２の機器が、前記データ格納の指示を受けて該データを細分化し、前記第２の機器が、細分化したデータの格納を、前記第２の機器グループよりも低いセキュリティレベルである第３の機器グループに属する機器群に指示し、前記第２の機器によって細分化したデータの格納が指示された機器群において、該データの格納を行う。
【手続補正４】
【補正対象書類名】明細書
【補正対象項目名】０００８
【補正方法】変更
【補正の内容】
【０００８】
上記目的を達成するための一手段として、本発明の分散処理方法は以下の構成を備える。
【手続補正５】
【補正対象書類名】明細書
【補正対象項目名】０００９
【補正方法】変更
【補正の内容】
【０００９】
すなわち、それぞれにセキュリティレベルが異なる複数の機器グループによって構成され、該機器グループ内の機器群に細分化されたデータが格納されたシステムにおける分散処理方法において、第１の機器グループ内の第１の機器が、第２の機器グループ内の少なくとも２台の第２の機器に対してデータの復元を指示するデータ復元指示ステップと、前記第２の機器が、前記データ復元指示ステップによる指示を受けて、前記第２の機器グループよりも低いセキュリティレベルである第３の機器グループに属する機器群から細分化されて格納されているデータの一部を収集して復元する中間復元ステップと、前記第１の機器が、前記中間復元ステップにおいて前記第２の機器で復元されたデータを収集して復元する完全復元ステップと、を有する。
または、それぞれにセキュリティレベルが異なる複数の機器グループによって構成されるシステムにおける分散処理方法において、第１の機器グループ内の第１の機器が、第２の機器グループ内の少なくとも２台の第２の機器に対してデータ処理を指示するデータ処理指示ステップと、前記第２の機器が、前記データ処理指示ステップによる指示を受けて、該データ処理の内容を細分化するデータ細分化ステップと、前記第２の機器が、前記データ細分化ステップにおいて細分化したデータ処理を、前記第２の機器グループよりも低いセキュリティレベルである第３の機器グループに属する機器群に指示する部分処理指示ステップと、前記部分処理指示ステップにおいて細分化したデータ処理が指示された機器群において、該データ処理を行う部分処理ステップと、前記第２の機器が、前記部分処理ステップにおけるデータ処理結果を収集する中間収集ステップと、前記第１の機器が、前記中間収集ステップにおいて前記第２の機器で収集されたデータ処理結果を収集する完全収集ステップと、を有する。
さらに、それぞれにセキュリティレベルが異なる複数の機器グループによって構成されるシステムにおける分散処理方法において、第１の機器グループ内の第１の機器が、第２の機器グループ内の少なくとも２台の第２の機器に対してデータの格納を指示するデータ格納指示ステップと、前記第２の機器が、前記データ格納指示ステップによる指示を受けて、該データを細分化するデータ細分化ステップと、前記第２の機器が、前記データ細分化ステップにおいて細分化したデータの格納を、前記第２の機器グループよりも低いセキュリティレベルである第３の機器グループに属する機器群に指示する部分格納指示ステップと、前記部分格納指示ステップにおいて細分化したデータの格納が指示された機器群において、該データの格納を行う部分格納ステップと、を有する。
【手続補正６】
【補正対象書類名】明細書
【補正対象項目名】００１０
【補正方法】削除
【補正の内容】